【手続補正書】
【提出日】平成18年1月31日(2006.1.31)
【手続補正１】
【補正対象書類名】明細書
【補正対象項目名】発明の名称
【補正方法】変更
【補正の内容】
【発明の名称】コンピュータおよびコンピュータに於けるデジタルオーディオビデオデータの再生方法
【手続補正２】
【補正対象書類名】明細書
【補正対象項目名】特許請求の範囲
【補正方法】変更
【補正の内容】
【特許請求の範囲】
【請求項１】  デジタルオーディオビデオデータの再生機能をもつコンピュータに於いて、
前記デジタルオーディオビデオデータの再生を指示するハードウェアスイッチと、
前記ハードウェアスイッチの操作状態を検知しデジタルオーディオビデオデータの再生処理を実行する手段と
を具備してなることを特徴とするコンピュータ。
【請求項２】  ディスクメディアの再生手段及びデジタルオーディオビデオデータの再生手段を備えたコンピュータに於いて、
ディスクメディアまたはデジタルオーディオビデオデータを再生対象として選択し再生を指示する単一のハードウェアスイッチと、
前記ハードウェアスイッチの操作内容を判別する手段と、
前記判別手段がデジタルオーディオビデオデータの再生指示を判別したとき、デジタルオーディオビデオデータの再生処理を起動する手段と、
前記判別手段がディスクメディアの再生指示を判別したとき、ディスクメディアの再生処理を起動する手段と
を具備してなることを特徴とするコンピュータ。
【請求項３】  デジタルオーディオビデオデータの再生を指示するハードウェアスイッチと、
デジタルオーディオビデオデータを再生する再生処理手段と、
前記ハードウェアスイッチの操作状態を検出し前記再生処理手段に通知する指示操作処理手段とを有し、
前記再生処理手段は前記指示入力処理手段より通知を受けると、デジタルオーディオビデオデータの供給源から再生対象となるデジタルオーディオビデオデータをロードし、当該データを再生処理することを特徴とするコンピュータ。
【請求項４】  ディスクメディアの再生手段及びデジタルオーディオビデオデータの再生手段を備えたコンピュータに於いて、
ディスクメディアまたはデジタルオーディオビデオデータを再生対象として選択し再生を指示する単一のハードウェアスイッチと、
前記ハードウェアスイッチの操作に伴いハードウェア割込みを発生する割込み発生手段と、
前記割込み発生手段により発生されたハードウェア割込みに従い、前記ハードウェアスイッチの操作内容を識別する識別手段と、
前記識別手段の識別内容に従い、再生対象が前記ディスクメディアであるかデジタルオーディオビデオデータであるかを認識し、当該認識した再生対象を再生するための動作環境を整えて、前記認識した再生対象に従う前記再生手段を起動する制御手段と
を具備してなることを特徴とするコンピュータ。
【請求項５】  ディスクメディアの再生手段及びデジタルオーディオビデオデータの再生手段を備えたコンピュータに於いて、
ディスクメディアまたはデジタルオーディオビデオデータを再生対象として選択し再生を指示する単一のハードウェアスイッチと、
前記ハードウェアスイッチの操作内容を判別する手段と、
前記判別手段がデジタルオーディオビデオデータの再生指示を判別したとき、前記各再生手段の動作状態を認識し、前記各再生手段が再生処理を実行していないとき前記デジタルオーディオビデオデータの再生処理を起動し、前記デジタルオーディオビデオデータの再生手段が再生処理中でなく、かつ前記ディスクメディアの再生手段が再生処理中である際は前記ディスクメディアの再生処理動作を停止制御した後、前記デジタルオーディオビデオデータの再生処理を起動する手段と
を具備してなることを特徴とするコンピュータ。
【請求項６】  ディスクメディアの再生手段及びデジタルオーディオビデオデータの再生手段を備えたコンピュータに於いて、
ディスクメディアまたはデジタルオーディオビデオデータを再生対象として選択し再生を指示する単一のハードウェアスイッチと、
前記ハードウェアスイッチの操作内容を判別する手段と、
前記判別手段がデジタルオーディオビデオデータの再生指示を判別したとき、前記各再生手段の動作状態を認識し、前記各再生手段が再生処理を実行していないとき前記デジタルオーディオビデオデータの再生処理を起動し、前記デジタルオーディオビデオデータの再生手段が再生処理中でなく、かつ前記ディスクメディアの再生手段が再生処理中である際は前記ディスクメディアの再生処理動作を停止制御した後、前記デジタルオーディオビデオデータの再生処理を起動する手段と、
前記判別手段がディスクメディアの再生指示を判別したとき、前記各再生手段の動作状態を認識し、前記各再生手段が再生処理を実行していないとき前記ディスクメディアの再生処理を起動し、前記ディスクメディアの再生手段が再生処理中でなく、かつ前記デジタルオーディオビデオデータの再生手段が再生処理中である際は前記デジタルオーディオビデオデータの再生処理動作を停止制御した後、前記デジタルオーディオビデオデータの再生処理を起動する手段と
を具備してなることを特徴とするコンピュータ。
【請求項７】  ディスクメディアの再生手段、及びデジタルオーディオビデオデータの再生手段を備えたコンピュータの再生方法に於いて、前記コンピュータ本体の筐体に単一のハードウェアスイッチを設け、当該ハードウェアスイッチの操作に伴うプログラム制御で、前記各再生処理手段の一つを選択的に起動することを特徴とするコンピュータに於けるデジタルオーディオビデオデータの再生方法。
【請求項８】  デジタルオーディオビデオデータの再生機能をもつコンピュータに於いて、前記デジタルオーディオビデオデータの再生を指示するハードウェアスイッチを設け、当該ハードウェアスイッチが操作されたとき、再生対象となるデジタルオーディオビデオデータの供給源にアクセスして再生対象となるデジタルオーディオビデオデータを取得し、当該データを再生処理することを特徴とするコンピュータに於けるデジタルオーディオビデオデータの再生方法。
【請求項９】  ディスクメディアの再生手段及びデジタルオーディオビデオデータの再生手段と、ディスクメディアまたはデジタルオーディオビデオデータを再生対象として選択し再生を指示する単一のハードウェアスイッチとを備えたコンピュータの再生方法に於いて、
前記ハードウェアスイッチが操作された際に、当該スイッチの操作状態を検知し、その操作内容を判別するステップと、
前記判別ステップでデジタルオーディオビデオデータの再生指示を判別したとき、デジタルオーディオビデオデータの再生処理を起動するステップと、
前記判別ステップでディスクメディアの再生指示を判別したとき、ディスクメディアの再生処理を起動するステップと
を具備してなることを特徴とするコンピュータに於けるデジタルオーディオビデオデータの再生方法。
【請求項１０】  ディスクメディアを再生する再生処理手段及びデジタルオーディオビデオデータを再生する再生処理手段とを有してなるコンピュータの再生方法に於いて、
前記再生処理手段に起動をかける再生制御手段と、ハードウェアスイッチと、前記ハードウェアスイッチの操作状態を検出し前記再生制御手段に通知する入力処理手段とを有し、
前記再生制御手段は、前記入力処理手段より前記通知を受けると、前記入力処理手段より前記ハードウェアスイッチの操作内容を取得して、当該操作内容が特定のスイッチ操作であるとき、前記デジタルオーディオビデオデータの再生処理手段に起動をかけ、
前記再生処理手段は、前記再生制御手段により起動されると、デジタルオーディオビデオデータの供給源から再生対象となるデジタルオーディオビデオデータをロードし、当該データを再生処理することを特徴とするコンピュータに於けるデジタルオーディオビデオデータの再生方法。
【請求項１１】  ディスクメディアの再生手段及びデジタルオーディオビデオデータの再生手段を備えたコンピュータの再生方法に於いて、
ディスクメディアまたはデジタルオーディオビデオデータを再生対象として選択し再生を指示する単一のハードウェアスイッチを備え、
前記ハードウェアスイッチが操作されたときハードウェア割込みを発生するステップと、
前記ハードウェア割込みに従い、前記ハードウェアスイッチの操作内容を識別するステップと、
前記識別した操作内容に従い、再生対象がディスクメディアであるかデジタルオーディオビデオデータであるかを認識するステップと、
前記認識した再生対象を再生するための動作環境を整えて、前記認識した再生対象に従う前記再生手段を起動するステップと
を具備してなることを特徴とするコンピュータに於けるデジタルオーディオビデオデータの再生方法。
【請求項１２】  ディスクメディアの再生手段及びデジタルオーディオビデオデータの再生手段を備えたコンピュータの再生方法に於いて、
ディスクメディアまたはデジタルオーディオビデオデータを再生対象として選択し再生を指示する単一のハードウェアスイッチを備え、
前記ハードウェアスイッチが操作された際にその内容を判別するステップと、
前記判別ステップでデジタルオーディオビデオデータの再生指示を判別したとき、前記各再生手段の動作状態を認識し、前記各再生手段が再生処理を実行していないとき前記デジタルオーディオビデオデータの再生処理を起動し、前記デジタルオーディオビデオデータの再生手段が再生処理中でなく、かつ前記ディスクメディアの再生手段が再生処理中である際は前記ディスクメディアの再生処理動作を停止制御した後、前記デジタルオーディオビデオデータの再生処理を起動するステップと
を具備してなることを特徴とするコンピュータに於けるデジタルオーディオビデオデータの再生方法。
【請求項１３】  ディスクメディアの再生手段及びデジタルオーディオビデオデータの再生手段を備えたコンピュータの再生方法に於いて、
ディスクメディアまたはデジタルオーディオビデオデータを再生対象として選択し再生を指示する単一のハードウェアスイッチを備え、
前記ハードウェアスイッチが操作された際にその操作内容を判別するステップと、
前記判別ステップでデジタルオーディオビデオデータの再生指示を判別したとき、前記各再生手段の動作状態を認識し、前記各再生手段が再生処理を実行していないとき前記デジタルオーディオビデオデータの再生処理を起動し、前記デジタルオーディオビデオデータの再生手段が再生処理中でなく、かつ前記ディスクメディアの再生手段が再生処理中である際は前記ディスクメディアの再生処理動作を停止制御した後、前記デジタルオーディオビデオデータの再生処理を起動するステップと、
前記判別手段がディスクメディアの再生指示を判別したとき、前記各再生手段の動作状態を認識し、前記各再生手段が再生処理を実行していないとき前記ディスクメディアの再生処理を起動し、前記ディスクメディアの再生手段が再生処理中でなく、かつ前記デジタルオーディオビデオデータの再生手段が再生処理中である際は前記デジタルオーディオビデオデータの再生処理動作を停止制御した後、前記デジタルオーディオビデオデータの再生処理を起動するステップと
を具備してなることを特徴とするコンピュータに於けるデジタルオーディオビデオデータの再生方法。
【手続補正３】
【補正対象書類名】明細書
【補正対象項目名】０００１
【補正方法】変更
【補正の内容】
【０００１】
【発明の属する技術分野】
本発明は、デジタルオーディオビデオデータを再生する機能を備えたコンピュータおよびコンピュータに於けるデジタルオーディオビデオデータの再生方法に関する。
【手続補正４】
【補正対象書類名】明細書
【補正対象項目名】０００２
【補正方法】変更
【補正の内容】
【０００２】
また本発明は、ディスクメディアの再生手段とデジタルオーディオビデオデータの再生手段とを備えたコンピュータおよびコンピュータに於けるデジタルオーディオビデオデータの再生方法に関する。
【手続補正５】
【補正対象書類名】明細書
【補正対象項目名】０００６
【補正方法】変更
【補正の内容】
【０００６】
本発明は上記実情に鑑みなされたもので、デジタルオーディオデータの再生機能を備えたコンピュータに於いて、デジタルオーディオビデオデータの再生や再生する対象の切り替え操作を容易かつ迅速に行なうことのできる操作性のよいコンピュータおよびコンピュータに於けるデジタルオーディオビデオデータの再生方法を提供することを目的とする。
【手続補正６】
【補正対象書類名】明細書
【補正対象項目名】０００７
【補正方法】変更
【補正の内容】
【０００７】
また本発明は、ディスクメディアの再生機能とデジタルオーディオビデオデータの再生機能とを備えたコンピュータに於いて、上記各再生機能の再生指示や再生する対象の切り替え指示を簡単な操作で容易かつ迅速に行なうことのできる操作性に優れたコンピュータおよびコンピュータに於けるデジタルオーディオビデオデータの再生方法を提供することを目的とする。
【手続補正７】
【補正対象書類名】明細書
【補正対象項目名】０００８
【補正方法】変更
【補正の内容】
【０００８】
また、本発明は、コンピュータ本体の筐体定位置に固定的に設けられたハードウェアスイッチの操作のみで、デジタルオーディオビデオデータの再生や、再生する対象の切り替え操作が行なえる、操作性に優れたコンピュータおよびコンピュータに於けるデジタルオーディオビデオデータの再生方法を提供することを目的とする。
【手続補正８】
【補正対象書類名】明細書
【補正対象項目名】００９９
【補正方法】変更
【補正の内容】
【００９９】
【発明の効果】
以上詳記したように本発明によれば、デジタルオーディオデータの再生機能を備えたコンピュータに於いて、デジタルオーディオビデオデータの再生や再生する対象の切り替え操作を容易かつ迅速に行なうことのできる操作性のよいデジタルオーディオビデオデータの再生機構を実現できるコンピュータおよびコンピュータに於けるデジタルオーディオビデオデータの再生方法が提供できる。
【手続補正９】
【補正対象書類名】明細書
【補正対象項目名】０１００
【補正方法】変更
【補正の内容】
【０１００】
また本発明によれば、デジタルオーディオビデオデータの再生機能とデジタルオーディオビデオデータの再生機能とを備えたコンピュータに於いて、上記各再生機能の再生指示や再生する対象の切り替え指示を簡単な操作で容易かつ迅速に行なうことのできるコンピュータおよびコンピュータに於けるデジタルオーディオビデオデータの再生方法が提供できる。
【手続補正１０】
【補正対象書類名】明細書
【補正対象項目名】０１０１
【補正方法】変更
【補正の内容】
【０１０１】
また、本発明によれば、コンピュータ本体の筐体定位置に固定的に設けられたハードウェアスイッチの操作のみで、デジタルオーディオビデオデータの再生や、再生する対象の切り替え操作が行なえる、操作性を向上したコンピュータおよびコンピュータに於けるデジタルオーディオビデオデータの再生方法が提供できる。